(57)【要約】【課題】  液晶表示パネルのホルダが、剛性は高いが弾性に富むとは言えない材料で成形されていたとしても、液晶表示パネルをホルダに簡単に組み付けられるようにする。【解決手段】  液晶表示装置１は液晶表示パネル１０とホルダ２０を備える。液晶表示パネル１０は合成樹脂製の枠体１１により周囲を取り囲まれており、この枠体１１の対向２辺には係合突起１３、１４が形成されている。これに対応してホルダ２０の側には受部２４、２５が形成されている。係合突起１３は係合突起１４より突出度が大きく、係合突起１３を受部２４に係合させた後、係合突起１４の属する側の辺をホルダ２０に押し付けることにより、係合突起１４も受部２５に係合し、液晶表示パネル１０はホルダ２０に結合する。結合後、枠体１１に形成された弾性片１５がホルダ２０の内面に当接して弾性力を及ぼし、液晶表示パネル１０とホルダ２０の間のがたつきを止める。【選択図】        図５
2006184655.tif 000002
【特許請求の範囲】
【請求項１】
液晶表示パネルと、この液晶表示パネルを収納するホルダとを備えた液晶表示装置におい
て、前記液晶表示パネルの周囲を囲む合成樹脂製枠体の対向２辺には係合突起を、前記ホ
ルダには前記係合突起に対応する受部を、それぞれ形成し、前記係合突起のうち、前記枠
体の一方の辺に属するものは突出度大とし、他方の辺に属するものは突出度小とし、突出
度大の係合突起を対応の受部に係合させた後、突出度小の係合突起の属する辺をホルダに
押し付けることにより、突出度小の係合突起も対応の受部に係合するよう構成したことを
特徴とする液晶表示装置。
【請求項２】
前記係合突起の突出度が、前記ホルダの平面輪郭からはみ出さない程度に留められている
ことを特徴とする請求項１に記載の液晶表示装置。
【請求項３】
前記突出度大の係合突起及び突出度小の係合突起は、いずれも、前記液晶表示パネルを前
記ホルダから引き抜こうとする力に抗して液晶表示パネルをホルダ内に維持するものであ
ることを特徴とする請求項１又は２に記載の液晶表示装置。
【請求項４】
前記枠体には、前記対向２辺のそれぞれに複数ずつの係合突起が設けられていることを特
徴とする請求項１〜３のいずれか１項に記載の液晶表示装置。
【請求項５】
前記枠体の前記対向２辺に、前記ホルダ内面に当接して弾性力を及ぼす弾性片を形成した
ことを特徴とする請求項１〜４のいずれか１項に記載の液晶表示装置。
【請求項６】
前記枠体には、前記対向２辺と直角をなす２辺にも、前記ホルダの内面に当接して弾性力
を及ぼす弾性片を形成したことを特徴とする請求項５に記載の液晶表示装置。
【発明の詳細な説明】
【技術分野】
【０００１】
本発明は液晶表示装置に関する。より詳しく言えば、液晶表示パネルと、これを機器本
体に取り付けるためのホルダとの結合構造に関する。
【背景技術】
【０００２】
近年、電子機器をはじめとする各種機械器具類において、使用者に情報を伝達する表示
装置を備えたものが多くなっている。表示装置用の表示デバイスとして多く用いられてい
るのが液晶表示パネルである。通常、液晶表示パネルを機器に組み込む場合には液晶表示
パネルをホルダに取り付け、このホルダを機器に固定するという構造にすることが多い。
このような液晶表示パネルとホルダの結合構造の例を特許文献１、２に見ることができる
。
【０００３】
特許文献１に記載された液晶表示装置では、ホルダの第１側壁にパネル係止爪を形成し
、この第１側壁と直角をなす第２側壁と第３側壁にフックを形成する。フックを外側に拡
げた状態で、パネル係止爪に液晶表示パネルの反端子部側を引っ掛けて液晶パネルをホル
ダ内に入れ、フックをその弾性復元力にて元の位置に戻すことにより、液晶表示パネルの
端子部の角がフックにより捉えられ、固定が完了する。
【０００４】
特許文献２に記載された液晶表示装置では、窓を備えたフロントケースと、フロントケ
ースに嵌合するリアケースとの間に形成された空間に液晶表示パネルを収納する。リアケ
ースに形成された爪突出部をフロントケースに形成された爪ロック部に嵌合することによ
り、両ケースは結合され、両ケースの間の空間に液晶表示パネルが固定される。
【特許文献１】特開２００２−２５８２４６号公報（第２頁−第３頁、図１−図５）
【特許文献２】特許第３３２２６２９号公報（第２頁−第３頁、図１−図４）
【発明の開示】
【発明が解決しようとする課題】
【０００５】
特許文献１、２に記載された液晶表示装置は、いずれも、ホルダ（特許文献２において
はフロントケースとリアケース）の弾力を利用して液晶表示パネルを固定している。携帯
電話用として、あるいは車載用として用いられる液晶表示装置にあっては、落下に耐え、
高温高湿にも耐えるようにするため、マグネシウム合金など高強度の金属材料でホルダを
形成する例が多くなっている。マグネシウム合金は剛性は高いが弾性は劣る。そのため、
マグネシウム合金製のホルダに液晶表示パネルを固定するにあたっては、ホルダの弾性に
依存せずに済む取付構造が必要になる。
【０００６】
本発明は上記の点に鑑みなされたものであり、液晶表示パネルのホルダが、剛性は高い
が弾性に富むとは言えない材料で成形されていたとしても、液晶表示パネルをホルダに簡
単に組み付けることのできる結合構造を提供することを目的とする。また、組み付け後の
液晶表示パネルをがたつきなく保持できる結合構造を提供することを目的とする。
【課題を解決するための手段】
【０００７】
上記目的を達成するために本発明は、液晶表示パネルと、この液晶表示パネルを収納す
るホルダとを備えた液晶表示装置において、前記液晶表示パネルの周囲を囲む合成樹脂製
枠体の対向２辺には係合突起を、前記ホルダには前記係合突起に対応する受部を、それぞ
れ形成し、前記係合突起のうち、前記枠体の一方の辺に属するものは突出度大とし、他方
の辺に属するものは突出度小とし、突出度大の係合突起を対応の受部に係合させた後、突
出度小の係合突起の属する辺をホルダに押し付けることにより、突出度小の係合突起も対
応の受部に係合するよう構成したことを特徴としている。
【０００８】
この構成によると、枠体に形成した突出度大の係合突起を先にホルダに係合させておい
てから突出度小の係合突起の属する辺をホルダに押し付けることにより、液晶表示パネル
をホルダにはめ込むことができる。後から押し込まれる係合突起の突出度は小さいので、
ホルダの弾性変形はほとんど発生しない。従って、弾性に富むとは言えない材料でホルダ
が形成されていたとしても、液晶表示パネルのはめ込みが可能である。    
【０００９】
また本発明は、上記構成の液晶表示装置において、前記係合突起の突出度が、前記ホル
ダの平面輪郭からはみ出さない程度に留められていることを特徴としている。
【００１０】
この構成によると、突出度大の係合突起も突出度小の係合突起もホルダの平面輪郭から
はみ出さないので、ホルダの外形が大きくならない。ホルダを機器に組み込む際、係合突
起が何か他の部品に引っかかる、あるいは他の部品を引っかけるといったこともない。
【００１１】
また本発明は、上記構成の液晶表示装置において、前記突出度大の係合突起及び突出度
小の係合突起は、いずれも、前記液晶表示パネルを前記ホルダから引き抜こうとする力に
抗して液晶表示パネルをホルダ内に維持するものであることを特徴としている。
【００１２】
この構成によると、液晶表示パネルをホルダから引き抜こうとする力に対し、突出度大
の係合突起と突出度小の係合突起が協働して抵抗するので、液晶表示パネルはホルダ内に
しっかりと保持される。
【００１３】
また本発明は、上記構成の液晶表示装置において、前記枠体には、前記対向２辺のそれ
ぞれに複数ずつの係合突起が設けられていることを特徴としている。
【００１４】
この構成によると、枠体の対向２辺のそれぞれに複数ずつの係合突起が存在するので、
液晶表示パネルの保持が確実なものとなる。また、係合突起の折損が生じたとしても、１
辺につき最低１個の係合突起が残存しているかぎり、液晶表示パネルはホルダ内に保持さ
れ続ける。
【００１５】
また本発明は、上記構成の液晶表示装置において、前記枠体の前記対向２辺に、前記ホ
ルダの内面に当接して弾性力を及ぼす弾性片を形成したことを特徴としている。
【００１６】
この構成によると、液晶表示パネルをホルダにはめ込んだ後枠体の弾性片がホルダに対
し弾性力を及ぼすので、液晶表示パネルはホルダ内にがたつきなく保持される。これによ
り、液晶パネルがホルダ内で動いて騒音を発したり、機器本体に対し液晶画面が位置ずれ
するなどの問題が生じにくくなる。
【００１７】
また本発明は、上記構成の液晶表示装置において、前記枠体には、前記対向２辺と直角
をなす２辺にも、前記ホルダの内面に当接して弾性力を及ぼす弾性片を形成したことを特
徴としている。
【００１８】
この構成によると、液晶表示パネルは係合突起の存在する対向２辺と直角の方向に関し
てもホルダ内にがたつきなく保持され、騒音を発しない、機器本体に対し液晶画面が位置
ずれしないなどの効果を享受できる。
【発明の効果】
【００１９】
本発明によると、突出度大の係合突起を先にホルダに係合させておいてから突出度小の
係合突起の属する辺をホルダに押し付けるという手順を踏むことにより、液晶表示パネル
をホルダに簡単に組み付けることができ、生産性が向上する。ホルダの材料の弾性は問わ
れない。はめ込み後の液晶表示パネルは枠体の弾性片がホルダに及ぼす弾性力によりがた
つきなく保持されるので、液晶表示パネルがホルダ内で動いて騒音を発する、機器本体に
対し液晶画面が位置ずれするなどの問題を生じにくい。
【発明を実施するための最良の形態】
【００２０】
以下、本発明の一実施形態を図１−図５に基づき説明する。図１及び図２は液晶表示装
置の外観斜視図で、互いに異なる角度から見たものである。図３は液晶表示装置の平面図
、図４は液晶表示装置の側面図、図５は図３の線Ａ−Ａに沿って切断した断面図である。
【００２１】
液晶表示装置１は液晶表示パネル１０とホルダ２０を主たる構成要素とする。液晶表示
パネル１０は平面形状が矩形であり、合成樹脂製の枠体１１がその周囲を取り巻いている
。液晶表示パネル１０の裏面にはバックライトユニット１２（図５参照）が重ねられてお
り、枠体１１は液晶表示パネル１０とバックライトユニット１２をひとまとめにして保持
する。
【００２２】
ホルダ２０はマグネシウム合金製で、枠体１１を受け入れる矩形の凹所２１を有する他
、外面には機器本体への取り付けに用いられる突起２２、２３が形成されている。
【００２３】
枠体１１に保持された液晶表示パネル１０をホルダ２０の凹所２１の中に入れ、液晶表
示パネル１０とホルダ２０の結合を図るのであるが、その結合の仕組みは次のようになっ
ている。
【００２４】
枠体１１の４辺のうち、長手側の対向２辺にはそれぞれ係合突起を形成する。一方の辺
には間隔を置いて２個の係合突起１３を形成する。他方の辺にも間隔を置いて２個の係合
突起１４を形成する。係合突起１３、１４はいずれも液晶表示パネル１０をホルダ２０か
ら引き抜こうとする力に抗して液晶パネル１０をホルダ２０内に維持する機能を有する。
対向２辺のそれぞれに複数ずつ（この実施形態では２個ずつ）の係合突起が存在するので
、液晶表示パネル１０は確実に保持される。また、係合突起の折損が生じたとしても、１
辺につき最低１個の係合突起が残存しているかぎり、液晶表示パネル１０はホルダ２０内
に保持され続ける。
【００２５】
係合突起１３の枠体１１からの突出度（図５のＨ１）と、係合突起１４の枠体１１から
の突出度（図５のＨ２）とは異なり、前者の方が後者より大きい。すなわちＨ１＞Ｈ２で
ある。液晶表示装置１が携帯電話用のサイズである場合、Ｈ１は０．４５mm、Ｈ２は０．
３０mmといった値に設定する。
【００２６】
係合突起１３、１４の突出度Ｈ１、Ｈ２は、いずれも、ホルダ２０の平面輪郭からはみ
出すような値ではない。従ってホルダ２０の外形が大きくならないうえ、ホルダ２０を機
器に組み込む際、係合突起１３、１４が他の部品に引っかかる、あるいは他の部品を引っ
かけるといったこともない。
【００２７】
ホルダ２０には係合突起１３、１４の係合する受部を形成する。すなわち図５に見られ
るように、係合突起１３に対応する部分を切り欠き、係合突起１３を係合させる受部２４
としている。また係合突起１４に対応する部分を切り欠き、係合突起１４を係合させる受
部２５としている。
【００２８】
枠体１１には、係合突起１３、１４の他、各辺に２個ずつの弾性片１５が設けられる。
枠体１１の所定箇所には、その上縁から垂直方向に２本ずつのスリットが入れられ、スリ
ットの間の部分が弾性片１５となる。弾性片１５は下端で枠体１１に接続し、上端は自由
端となるものであり、その自由端に、外向きに突き出す凸部が形成されている。枠体１１
をホルダ２０の凹所２１にはめ込んだとき、前記凸部が凹所２１の内面に当接し、これに
より弾性片１５はホルダ２０に対して弾性力を及ぼすことになる。
【００２９】
次に、液晶表示パネル１０とホルダ２０の結合の仕方について説明する。まず、係合突
起１３を先に立てる形で液晶表示パネル１０をホルダ２０の凹所２１に斜めに差し込み、
係合突起１３を受部２４に係合させる。図１、２は丁度この時の状態を表したものである
。係合突起１３を受部２４にしっかりと係合させた後、係合突起１４が属する側の辺をホ
ルダ２０に押し付ける。すると、ホルダ２０はほとんど弾性変形しないものの、枠体１１
は少し弾性変形するので、係合突起１４の通過が許容され、係合突起１４は受部２５に係
合する（図５参照）。同時に液晶表示パネル１０はホルダ２０にはまり込み、液晶表示パ
ネル１０とホルダ２０の結合は完了する。結合状態において、弾性片１５は凹所２１の内
面に当接し、弾性力を及ぼす。これにより、液晶表示パネル１０とホルダ２０との間のが
たつきはなくなる。弾性片１５は枠体１１の４辺に存在するので、液晶表示パネル１０は
前後左右いずれの方向に対してがたつき止めがなされることになる。
【００３０】
なお弾性片１５は、液晶表示パネル１０とホルダ２０の間のがたつきを止めるとともに
、係合突起１３が受部２４に係合し続け、係合突起１４が受部２５に係合し続けるよう、
枠体１１を所定位置に保持する役割も果たす。
【００３１】
はめ込み後、係合突起１３と受部２４の間には図５に示すようにクリアランスＣ１が生
じる。係合突起１４と受部２５の間にもクリアランスＣ２が生じる。これらのクリアラン
スＣ１、Ｃ２は、部品の成形公差を吸収し、液晶表示パネル１０のはめ込みを円滑に行う
ために必要なものであるが、その値は係合突起１３、１４の突出度より小さい。Ｃ１、Ｃ
２は例えば０．１mmといった値に設定される。
【００３２】
以上、本発明の一実施形態につき説明したが、本発明の範囲はこれに限定されるもので
はなく、発明の主旨を逸脱しない範囲で種々の変更を加えて実施することができる。
【図面の簡単な説明】
【００３３】
【図１】液晶表示装置の外観斜視図
【図２】図１と異なる角度から見た液晶表示装置の外観斜視図
【図３】液晶表示装置の平面図
【図４】液晶表示装置の側面図
【図５】図３の線Ａ−Ａに沿って切断した断面図
【符号の説明】
【００３４】
１    液晶表示装置
１０  液晶表示パネル
１１  枠体
１３、１４  係合突起
１５  弾性片
２０  ホルダ
２１  凹所
２４、２５  受部
【図１】
2006184655.tif 000003
【図２】
2006184655.tif 000004
【図３】
2006184655.tif 000005
【図４】
2006184655.tif 000006
【図５】
2006184655.tif 000007